(57)【特許請求の範囲】
【請求項１】
ベース部材上面部と、このベース部材の上部に配設される被クッション部材の下面部とに互いに同極を対向させるように磁気浮上用磁石が設けられ、これら磁気浮上用磁石の反発力をクッションとして利用する磁気浮上式クッション体であって、上記被クッション部材の四方の縁部には水平方向に向くように被クッション部材側磁石が設けられ、上記ベース部材には、これら被クッション部材側磁石の磁極面に離間状態で同極の磁極面が対向し、かつ、被クッション部材の水平方向の移動が規制されるようにベース部材側磁石が設けられ、このベース部材側磁石を支持する磁石固定部材と、この磁石固定部材をフロア上に保持する保持部材とを備えていることを特徴とする磁気浮上式クッション体。
【請求項２】
上記ベース部材側磁石と被クッション部材側磁石との間の離間距離が調節可能に構成されていることを特徴とする請求項１記載の磁気浮上式クッション体。
【請求項３】
上記磁石固定部材と、上記保持部材との間には磁石固定部材を水平方向に移動させる軸心回りに偏心回転可能な偏心カムが介設されていることを特徴とする請求項２記載の磁気浮上式クッション体。
【発明の詳細な説明】
【０００１】
【産業上の利用分野】
本発明は、ベッドやソファ等にクッション部材として使用される磁気浮上式クッション体に関するものである。
【０００２】
【従来の技術】
従来、ベッドやソファ等の振動吸収部材としてコイルスプリング等のバネ材を使用したものが一般的であったが、近年構造が簡単で、かつ、振動吸収効率に優れる磁石の反発力を利用したクッション体が開発され実用化に及んでいる。このような、ベッドやソファ用の磁石の反発力を利用したクッション体としては、例えば実公昭５９−４１７２７号公報や実開平３−５１０４４号公報等によって開示されたものが知られている。
【０００３】
上記実公昭５９−４１７２７号公報に開示されたクッション体は、複数個の磁石を、発泡性合成樹脂等からなる弾性部材の中に上下方向に互いに同極を対向させた状態で埋設したものであり、上下の磁石間にも弾性部材が挾持されている。そして、弾性部材の弾性力と磁石の反発力とによってクッション性および振動吸収性が得られるようになっている。
【０００４】
また、上記実開平３−５１０４４号公報に開示されたクッション体は、フロア上に載置される板状のベース部材の上面部と、このベース部材の上部に配設される板状の被クッション部材の下面部とに互いに同極が対向するように上下一対の磁石を取り付け、これら磁石の反発力によって被クッション部材を浮上させるように構成されている。ベース部材および被クッション部材のいずれか一方の周縁部に帯状の位置規制部材が上下方向に突出するように設けられ、他方が上記位置規制部材内に嵌め込まれた状態で被クッション部材の水平方向の位置ずれが規制されるようになっている。
【０００５】
【発明が解決しようとする課題】
ところで、上記実公昭５９−４１７２７号公報に開示されたクッション体にあっては、複数個の磁石が、発泡性合成樹脂等からなる弾性部材の中に上下方向に互いに同極を対向させた状態で埋設され、かつ、上下の磁石間には弾性部材が介在されているため、この弾性部材の介在によって磁石の反発力が減衰し、磁石の反発力によるクッション作用を充分に利用することができないという問題点を有していた。
【０００６】
また、上記実開平３−５１０４４号公報に開示されたクッション体は、ベース部材および被クッション部材のいずれか一方が他方の周縁部に設けられた帯状の位置規制部材の内部に嵌め込まれ、この位置規制部材の内周面と、他方の被クッション部材またはベース部材の外周面とが摺接状態になっているため、被クッション部材が振動したとき、被クッション部材またはベース部材の外周面と位置規制部材の内周面とが互いに擦れ合い、この擦れ合いによる摺動抵抗によってクッション性や振動吸収能力が阻害されるとともに、擦れ合いによって異音が発生し、クッション体をベッドやソファに利用する上で快適性が損なわれるという問題点を有していた。
【０００７】
そこで、ベース部材と被クッション部材との間にリンク機構を介在させ、このリンク機構によって被クッション部材の水平姿勢を維持した状態でそれを上下動可能に構成することが考えられるが、たとえリンク機構であっても、機構的に摺接部分が必ず存在するため、摺接の摩擦抵抗によるクッション性の阻害は避けることができない。また、このようなリンク機構を採用すると、全体的にクッション体の構造が複雑になり、製造コストが嵩むという問題点が存在する。
【０００８】
本発明は、上記のような問題点を解決するためになされたものであり、簡単な構造でありながら、磁石の反発力によるクッション性が阻害されず、かつ、確実に被クッション部材の水平方向の位置ずれを阻止することが可能な磁気浮上式クッション体を提供することを目的としている。
【０００９】
【課題を解決するための手段】
本発明の請求項１記載の磁気浮上式クッション体は、ベース部材上面部と、このベース部材の上部に配設される被クッション部材の下面部とに互いに同極を対向させるように磁気浮上用磁石が設けられ、これら磁気浮上用磁石の反発力をクッションとして利用する磁気浮上式クッション体であって、上記被クッション部材の四方の縁部には水平方向に向くように被クッション部材側磁石が設けられ、上記ベース部材には、これら被クッション部材側磁石の磁極面に離間状態で同極の磁極面が対向し、かつ、被クッション部材の水平方向の移動が規制されるようにベース部材側磁石が設けられ、このベース部材側磁石を支持する磁石固定部材と、この磁石固定部材をフロア上に保持する保持部材とを備えていることを特徴とするものである。
【００１０】
本発明の請求項２記載の磁気浮上式クッション体は、請求項１記載の磁気浮上式クッション体において、上記ベース部材側磁石と被クッション部材側磁石との間の離間距離が調節可能に構成されていることを特徴とするものである。
【００１１】
本発明の請求項３記載の磁気浮上式クッション体は、請求項２記載の磁気浮上式クッション体において、上記磁石固定部材と、上記保持部材との間には磁石固定部材を水平方向に移動させる軸心回りに偏心回転可能な偏心カムが介設されていることを特徴とするものである。
【００１２】
【作用】
上記請求項１記載の磁気浮上式クッション体によれば、ベース部材上面部と、このベース部材の上部に配設される被クッション部材の下面部とに互いに同極を対向させるように磁気浮上用磁石が設けられているため、これら上下の磁気浮上用磁石の相互の反発力によって被クッション部材はベース部材上に磁気浮上し、かつ、上記反発力による弾性機能によって被クッション部材の上下方向の振動は吸収される。
【００１３】
また、被クッション部材の四方の縁部には水平方向に向くように被クッション部材側磁石が設けられ、上記ベース部材には、これら被クッション部材側磁石の磁極面に離間状態で同極の磁極面が対向し、かつ、被クッション部材の水平方向の移動が規制されるようにベース部材側磁石が設けられているため、これら磁石の反発力によってベース部材側磁石と、ベース部材側磁石に取り囲まれた被クッション部材側磁石とは互いに当接せず、被クッション部材はベース部材上にいずれの部材にも接触しない状態で浮上した状態になる。従って上下の磁気浮上用磁石の相互の反発力による被クッション部材のクッション機能および振動吸収機能は従来のような機器の摺接に起因した摩擦抵抗によって弱められることはない。
【００１４】
そして、ベース部材上に浮上した被クッション部材は、ベース部材側磁石と被クッション部材側磁石との反発力によって水平方向にもクッション機能が付与されているため、被クッション部材の横方向の振動も吸収される。
【００１５】
上記請求項２記載の磁気浮上式クッション体によれば、ベース部材側磁石の被クッション部材側磁石に対する離間距離が調節可能に構成されているため、上記離間距離を調節して変更することによってベース部材側磁石と被クッション部材側磁石との間の反発力の強さを変更することが可能であり、この反発力の変更によって被クッション体の水平方向の振動吸収能力を調節することが可能になる。
【００１６】
本発明の請求項３記載の磁気浮上式クッション体によれば、磁石固定部材と、上記保持部材との間には磁石固定部材を水平方向に移動させる軸心回りに偏心回転可能な偏心カムが介設されているため、偏心カムを偏心軸回りに回転させることにより、ベース部材側磁石の被クッション部材側磁石に対する離間距離を容易に調節することができる。
【００１７】
【実施例】
図１は、本発明に係る磁気浮上式クッション体の一例を示す斜視図であり、図２はそのＡ線視図である。また図３は、磁石の配置を説明するための平面視の説明図である。本実施例においては、磁気浮上式クッション体が、救急車両に備え付けで搭載される防振ベッドに適用された例を挙げている。
【００１８】
これらの図に示すように、クッション体としての防振ベッド１は、ベース部材としての車体のフロアＦと、このフロアＦ上に配置された被クッション部材としてのベッド本体２と、このベッド本体２をフロアＦ上に浮上させる磁気浮上手段３と、浮上状態のベッド本体２の水平方向の位置ずれを磁気の反発力によって阻止する位置ずれ阻止手段４とから基本構成されている。
【００１９】
上記ベッド本体２は、その表面にストレッチャＳの車輪Ｓ１を案内する前後方向に延びる車幅方向一対の案内溝２１が設けられており、この案内溝２１に車輪Ｓ１を嵌め込んでストレッチャＳを長手方向に移動させることにより、図２に示すように、ストレッチャＳは横ずれが防止された状態でベッド本体２上に載置される。
【００２０】
このようなベッド本体２の底面には、図２および図３に示すように、ベッド本体２の縁部よりも内方に位置した平面視が長方形状の支持枠体２２が設けられており、この支持枠体２２によってベッド本体２の剛性が向上されるようになっている。
【００２１】
上記磁気浮上手段３は、図１および図３に示すように、ベッド本体２の下部のフロアＦ上に前後方向に亘って並設された３組の下部磁気浮上用磁石３１と、ベッド本体２の裏面の支持枠体２２に囲繞された部分に上記下部磁気浮上用磁石３１に対向して設けられた３組の上部磁気浮上用磁石３２とから構成されている。
【００２２】
上記各磁気浮上用磁石３１，３２は、磁石を保護するための互いの対向面が開口した、箱形の磁石収納容器３３内に収納された状態でフロアＦ上および支持枠体２２内に取り付けられている。そして、下部および上部磁気浮上用磁石３１，３２の互いの対向面は、磁極が同極になるように設定されており、これら同極の磁極による反発力でベッド本体２はフロアＦ上に浮上するようになっている。
【００２３】
上記位置ずれ阻止手段４は、ベッド本体２の縁部の中央部に対応するようにフロアＦ上に立設された車長方向一対、および、車幅方向一対の第１磁石（ベース部材側磁石）４１と、これらの第１磁石４１に対応するようにベッド本体２の裏面に設けられた第２磁石（被クッション部材側磁石）４２とから構成されている。そして、上記第１磁石４１と第２磁石４２とは互いに同極が対向するように位置設定されている。
【００２４】
図４は、図１のＢ−Ｂ線断面図であり、上記第１磁石４１および第２磁石４２の装着状態を例示している。この図に示すように、第１磁石４１はフロアＦ上に設けられた磁石支持手段５によって支持されている。この磁石支持手段５は、断面がＬ字形状の磁石固定部材５１と、この磁石固定部材５１をフロアＦ上に保持する保持部材５２とによって構成されている。
【００２５】
そして、上記磁石固定部材５１は、フロアＦ上に載置された状態で上方に延びる垂直部５１ａと、フロアＦ上に密着される水平部５１ｂとから構成されている。上記垂直部５１ａの上部には開口部が上記第２磁石４２に向かった箱状の磁石収納部５３が設けられており、この磁石収納部５３内に第１磁石４１が磁極面を上記開口から露出させた状態で収納されている。
【００２６】
上記保持部材５２は、フロアＦ上に密着状態で固定される固定部５２ａと、この固定部５２ａの磁石固定部材５１側に延設された挾持部５２ｂとから構成されている。この挾持部５２ｂとフロアＦとの間には、磁石固定部材５１の水平部５１ｂの厚み分の隙間が形成されている。この挾持部５２ｂとフロアＦ面とで上記水平部５１ｂが挾持され、この挾持状態で固定部５２ａがフロアＦにボルト止めされて磁石固定部材５１がフロアＦ上に固定されている。
【００２７】
そして、上記保持部材５２の挾持部５２ｂには、挿通孔５２ｃが穿設されてい６２るとともに、この磁石固定部材５１の水平部５１ｂには上記挿通孔５２ｃに対応し、かつ挿通孔５２ｃよりも大径の装着孔５１ｃが穿設されている。さらにフロアＦには、上記挿通孔５２ｃに対応した同心の貫通孔Ｆ１が穿設されており、これら挿通孔５２ｃ、装着孔５１ｃおよび貫通孔Ｆ１に垂直ロッド６が貫設されている。
【００２８】
上記垂直ロッド６の下端部には抜け止め用の頭部６１が設けられているとともに、上部には雄ネジが螺設され、この雄ネジにナット６３が螺着されるようになっている。また、垂直ロッド６の上記装着孔５１ｃに対応した部分には、装着孔５１ｃの径よりも若干小径の円形カム６２が偏心状態で設けられている。そして、垂直ロッド６を自軸心回りに回転させることにより、円形カム６２の偏心回転によって水平部５１ｂが水平方向に移動するようになっている。
【００２９】
このような垂直ロッド６の上部には同ロッド６の軸心回りに共回りするようにダイヤル６７が外嵌されており、このダイヤル６７の回転操作を行うことによって円形カム６２を偏心回転させ、水平部５１ｂを水平方向に移動させることができるようになっている。
【００３０】
そして、ダイヤル６７と挾持部５２ｂとの間にはダイヤル６７と共回りする節度バネ６８が介在されているとともに、挾持部５２ｂの上面には挿通孔５２ｃの周りに放射状に多数の節度溝が設けられている。上記節度バネ６８の先端には、下方に膨出した凸部が設けられており、上記節度溝にこの凸部が嵌まり込むことによって、垂直ロッド６の設定された回転位置が安定して維持されるとともに、ダイヤル６７の回転操作を行ったときには上記凸部が節度バネ６８の付勢力に抗して変形し、節度溝から外れるとともに、つぎの節度溝に嵌まり込む手応えによって節度感が得られるようになっている。
【００３１】
一方、上記第２磁石４２は、ベッド本体２の支持枠体２２の外壁面に固定された箱状の磁石収納部４３内に、その磁極面を外方に露出させた状態で収納固定されている。そして、上記第１磁石４１の磁極面と第２磁石４２の磁極面とは、水平方向に距離ｄの間隔で互いに同極同士が対向され、第１磁石４１と第２磁石４２との反発力によって距離ｄが維持された状態になっている。
【００３２】
本発明の防振ベッド１は以上のように構成されているので、ベッド本体２は、下部磁気浮上用磁石３１と上部磁気浮上用磁石３２との間の相互の反発力によって磁気浮上した状態になっており、ベッド本体２の振動は上記磁気の反発力がクッションの役割を果たして有効に吸収される。
【００３３】
そして、ベッド本体２がフロアＦ上に浮上した状態で、ベッド本体２を四方から取り囲むように設けられた第１磁石４１と第２磁石４２との間の相互の反発力によって、ベッド本体２は四方から押圧されているため、ベッド本体２はいずれの部材にも接触することなく完全にフロアＦ上に磁気浮上した状態になっている。従って、他の部材との間の摺動抵抗に起因した除振性能の低下が起こらず、極めて良好な除振機能を発揮することが可能になる。
【００３４】
以上の実施例においては、本発明の磁気浮上式クッション体について、それが車両用の防振ベッドに適用された例に基づいて説明したが、本発明の磁気浮上式クッション体は、車両用の防振ベッドに利用されることに限定されるものではなく、通常の家具用のベッドやソファ等に適用することも可能である。
【００３５】
【発明の効果】
本発明の請求項１記載の磁気浮上式クッション体によれば、ベース部材上面部と、このベース部材の上部に配設される被クッション部材の下面部とに互いに同極を対向させるように磁気浮上用磁石が設けられているため、これら上下の磁気浮上用磁石の相互の反発力によって被クッション部材はベース部材上に浮上し、かつ、上記反発力による弾性機能によって被クッション部材の上下方向の振動は吸収される。
【００３６】
また、上記被クッション部材の四方の縁部には水平方向に向くように被クッション部材側磁石が設けられ、上記ベース部材には、これら被クッション部材側磁石の磁極面に離間状態で同極の磁極面が対向し、かつ、被クッション部材の水平方向の移動が規制されるようにベース部材側磁石が設けられているため、これら磁石の反発力によってベース部材側磁石と、ベース部材側磁石に囲繞された被クッション部材側磁石とは互いに当接せず、被クッション部材はベース部材上にいずれの部材にも接触しない状態で浮上した状態になる。従って上下の磁気浮上用磁石の相互の反発力による被クッション部材のクッション機能は従来のように摩擦抵抗によって弱められることはなく、常に確実に振動が吸収され、クッション体の適用されたベッドやソファの使用をより快適なものにする上で好都合である。
【００３７】
そして、ベース部材上に浮上した被クッション部材は、ベース部材側磁石と被クッション部材側磁石との反発力によって水平方向にもクッション機能が付与されているため、被クッション部材の横方向の振動も確実に吸収され、クッション体の適用されたベッドやソファの使用がより快適なものにする上で有効である。
【００３８】
本発明の請求項２記載の磁気浮上式クッション体によれば、ベース部材側磁石の被クッション部材側磁石に対する離間距離が調節可能に構成されているため、上記離間距離を調節して変更することによってベース部材側磁石と被クッション部材側磁石との間の反発力の強さを変更することが可能であり、この反発力の変更によって被クッション体の水平方向の振動吸収能力を調節することが可能になる。
【００３９】
本発明の請求項３記載の磁気浮上式クッション体によれば、磁石固定部材と、上記保持部材との間には磁石固定部材を水平方向に移動させる軸心回りに偏心回転可能な偏心カムが介設されているため、偏心カムを偏心軸回りに回転させることにより、ベース部材側磁石の被クッション部材側磁石に対する離間距離を容易に調節することができる。
【図面の簡単な説明】
【図１】本発明に係る磁気浮上式クッション体の一例を示す斜視図である。
【図２】図１のＡ線視図である。
【図３】磁石の配置を説明するための平面視の説明図である。
【図４】図１のＢ−Ｂ線断面図である。
【符号の説明】
１  防振ベッド
２  ベッド本体
２１  案内溝
２２  支持枠体
３  磁気浮上手段
３１  下部磁気浮上用磁石
３２  上部磁気浮上用磁石
３３  磁石収納容器
４  位置ずれ阻止手段
４１  第１磁石（ベース部材側磁石）
４２  第２磁石（被クッション部材側磁石）
４３  磁石収納部
５  磁石支持手段
５１  磁石固定部材
５１ａ  垂直部
５１ｂ  水平部
５１ｃ  装着孔
５２  保持部材
５２ａ  固定部
５２ｂ  挾持部
５２ｃ  挿通孔
６  垂直ロッド
６１  頭部
６２  円形カム
６３  ナット
６７  ダイヤル
６８  節度バネ
Ｆ  フロア
Ｆ１  貫通孔
【図１】
0003566764.tif 000002
【図２】
0003566764.tif 000003
【図３】
0003566764.tif 000004
【図４】
0003566764.tif 000005